(57)【要約】      （修正有）【課題】上肢の手術後や療養時又後遺症で麻痺・疼痛が残る患者及び障害者自身で着脱更衣が出来る衣類を提供する。【解決手段】衣類１は、人体に合わせて形成された本体１０と、本体１０に着脱自在に設けられるマチとを備える。本体１０にはその一部を開閉可能に分割する開端部１０１，１０２が少なくとも２か所形成される。マチは少なくとも一か所の開端部１０１，１０２に設けられる。【選択図】図１
0003187963.tif 000002
【実用新案登録請求の範囲】
【請求項１】
人体に合わせて形成された本体と、本体に着脱自在に設けられるマチとを備える衣類であって、本体にはその一部を開閉可能に分割する開端部が少なくとも２か所形成され、マチは少なくとも一か所の開端部に設けられる衣類。
【考案の詳細な説明】
【技術分野】
【０００１】
本考案は上肢の手術後や療養時又後遺症で麻痺・疼痛が残る患者及び障害者自身で着脱更衣が出来る衣類に関するものである。
【背景技術】
【０００２】
従来の衣類は上肢及び肩、背柱の手術後は手術した腕や肩が動かせない為腕の上げ下げ等の動作が困難で着脱更衣が不自由になる、その為介護者の手を借りる必要があるこれは骨折・靭帯負傷時等ギプス・コルセット使用時、麻痺患者、高齢者、障害者にも当てはまる。
【０００３】
手術した上脚、肩、脊柱は浮腫・腫れ・疼痛を伴う為、腕が上がらず着脱が困難である為に不本意な衣服を着用せざるを得ない。
【０００４】
従来の介護・リハビリ・身体麻痺患者用衣類はデザインが固定化され時代のニーズに
合わなくなっている。
【０００５】
介護者の側からも腕・肩の上がりづらい患部の痛みに対する配慮が必須である。
【０００６】
既存の衣服では特殊商品（オーダーメイド）でこれからの高齢社会の要望に応えられ
ていない。
【０００７】
上肢・下肢のギプス使用時は左右の袖巾・パンツ裾巾が大きく異なる為サイズの大きな衣服を着用する事になる（腰のコルセット使用時は身幅の大きな服が必要）
【考案の概要】
【考案が解決しようとする課題】
【０００８】
本考案は上記欠点を解決する事が出来る上着を提供することを課題とする。
【課題を解決するための手段】
【０００９】
人体に合わせて形成された本体と、本体に着脱自在に設けられるマチとを備える衣類であって、本体にはその一部を開閉可能に分割する開口部が少なくとも２か所形成され、マチは少なくとも一か所の開端部に設けられる衣類。
【考案の効果】
【００１０】
本考案はつぎの様な効果を得る事が出来る。
（1）自身で開端部を開閉し手術後や疼痛時及び麻痺した腕を動かさなくて済むので看護師や介護者の手を借りずに自身での更衣が出来る可能性がある。
（2）衣類の選択肢が広がることにより前向きな意識が期待できる。
（3）健常者と変わらぬ外見が得られプライドが保たれる。
（4）QOLの向上とロコモティブシンドロームの改善と予防が見込める。
（5）介護者側からの着脱補助も患部の痛みに対する配慮が軽減される。
（6）腰椎のコルセット・腕のギプス使用時はマチの装着で身幅・袖巾の調節が可能になり自然な形での着用が可能になる。
（7）マチは着脱自在なのでギプス・コルセットが不要になっても着用出来る。
（8）診察や検査等、部分露出が必要な時にも脱がずに必要な開端部を開けるだけで簡便に診察・検査が可能である。開端部の結合部品をすべてプラスチック素材にすればX線検査も可能となる。
（9）軽衣料（肌着、キャミソール、パジャマ、室内着〈ガウン等〉）・中衣料（ブラウス、シャツ類）・重衣料（コート、ジャケット、ブルゾン、ワンピース、スーツ）他運動用スエット等全てのアイテムに採用可能であると共に多様なデザインが考案可能である
（10）パンツ  実用新案登録  第3180551号  考案者  吉川  惠子  との組み合わせや連結したデザインによりあらゆる術後のリハビリ患者・障害・麻痺・疼痛・後遺症に悩む方々の幅広いニーズに答えられる可能性が有る。
【図面の簡単な説明】
【００１１】
【図１】本考案の形態に係る衣類の本体を説明する図である。
【図２】前記で実施形態に係る衣類のマチを説明する図である。
【考案を実施するための形態】
【実施例】
【００１２】
以下、実施例を説明する。以下の説明では、衣類１をブルゾンに適用した例を説明する。
【００１３】
衣類１は人体に合わせて形成された本体10と、本体10に着脱自在に設けられるマチ20とを備える衣類であって、本体10にはその一部を開閉可能に分割する開端部100が少なくとも２か所形成され、マチ20は少なくとも一か所の開端部100に設けられる衣類。
【００１４】
本体10は  ネックポイント11・肩山12・袖13・裾14・脇の下15・パンツ16を備える。
袖13は袖口13-1及び13-2を有する。本体は衿及び袖を設けても設けなくとも良い。
【００１５】
本形態に於いて開端部100は、前中心で分割する開端部101と身頃左側から袖口までを分割する開端部102とを含む。
【００１６】
開端部101はネックポイント11-1から裾14-1に至る。
【００１７】
開端部102は袖口13-2から脇の下15を通り裾14-2に至る。
【００１８】
本体10の前中心の開端部101はボタンaとボタン穴a’で連結する。裾14-1は紐Aを結ぶことにより裾回りの大きさを調節することが出来る。
【００１９】
本体10の左端部は開端部102になっていて一端にボタンbが設けて有り他端にボタン穴b’が設けてある。
【００２０】
開端部102はボタンbをボタン穴b’に入れることにより連結する。
【００２１】
裾14-2は紐Bを結ぶことにより、裾回りの大きさを調節する事が出来る。
【００２２】
袖口は紐Cを結ぶことにより袖口の大きさを調節することが出来る。
【００２３】
上記実施例では前中心と左開きの例を示したが、肩開きと脇開き・脇開き肩開きと前中心・後ろ中心等開口可能部の全てを全開きにしてもよい。開く位置はデザイン線でも良い。又デザインにより斜めに開いても良い。
【００２４】
丈の長さは実施例ではショート丈であるが丈の長さは任意とし、ウエスト丈・腰丈・ロング丈・パンツと連結させるなどデザイン用途等により変更してもよい。
【００２５】
本体10の素材は実施例では布帛綿素材であるがその他布帛全般及びニット・レース・皮革・ストレッチ素材・合成皮革・不織布・フリース・ナイロンクロス・ビニール等でもよい。
【００２６】
上記実施例では開端部をボタンとボタン穴とで連結しているが、開端部を連結する留め具は、任意の材料を用いる事が出来る。留め具は金属類ではエックス線撮影に支障が出るのでプラスチック製が好ましいが、デザイン、素材、用途によりループ・鍵ホック・ファスナー・紐・リボン・バックル・ジョイント金具・面ファスナー等に変更してもよい。
【００２７】
脇開端部は実施例ではボタンbとボタン穴b’であるがホックや紐・リボン・ジョイント金具・ファスナー・面テープ等に変更してもよい。
【００２８】
留め具は実施例では前中心・脇共にボタン穴とボタンであるがこれらの開端部は各々別の接合手段でも良い。
【００２９】
袖口13-2は、実施例では開閉しない方は筒縫いであるがデザイン上筒縫い以外の形状でもよい
【００３０】
裾14-1及び袖口13-2の結合部…実施例では紐であるがベルト・ボタン・ホック・ファスナー・ループ留め・面ファスナー・リボン・ジョイント金具ホック等でも良い。また無くても良い。
【００３１】
マチ20開端部101又は102と同じ長さ又は開端部101又は102の長さより短い長さで形成され、所定の巾（例えば5ｃｍ〜10ｃｍ）を有する。
尚マチ20の巾は長さ方向に於いて寸法が異なっても良い。
【００３２】
マチ20には長さ方向に沿って開端部102のボタンbに対応するボタン穴c’とボタン穴b’に対応するボタンｃと、を有する。
【符号の説明】
【００３３】
・        衣類
10       本体
20       マチ
101・102 開端部
【図１】
0003187963.tif 000003
【図２】
0003187963.tif 000004